(57)【特許請求の範囲】
【請求項１】
デジタルメディアコンテンツ再生を転送する方法であって、
第一の装置がデジタルメディアコンテンツ再生を転送アウトするためのユーザの第一の身体動作を検出し、デジタルメディアコンテンツ再生の転送インを準備することを少なくとも１つの第二の装置に通知するためのブロードキャスト／マルチキャストメッセージである第一のメッセージを送信することと、
前記少なくとも１つの第二の装置から前記第一のメッセージに応答する第二のメッセージを受信し、前記第二のメッセージに基づいて、デジタルメディアコンテンツ再生を１つの第二の装置に転送し、前記１つの第二の装置によって再生することとを含み、
第一の装置は、デジタルメディアコンテンツ再生を転送アウトするためのユーザの第一の身体動作を検出した後に、第一の装置とユーザの間の第一の位置関係情報を取得し、前記第一の位置関係情報を前記第一のメッセージにカプセル化し、前記第一のメッセージをブロードキャスト又はマルチキャストして、少なくとも１つの第二の装置が前記第一のメッセージにおける第一の位置関係情報に基づいて第二のメッセージを受信するための１つの第一の装置を確定する、方法。
【請求項２】
第一の装置は、前記少なくとも１つの第二の装置からの少なくとも１つの第二のメッセージを受信し、前記少なくとも１つの第二のメッセージにおける少なくとも１つの第二の位置関係情報を抽出し、前記少なくとも１つの第二の位置関係情報に基づいてデジタルメディアコンテンツを転送して再生するための１つの第二の装置を確定することを特徴とする
請求項１に記載の方法。
【請求項３】
前記第一／第二の位置関係情報は、腕、手、第一／第二の装置の間の角度情報であり、あるいは、前記第一／第二の位置関係情報は、手または腕と第一／第二の装置との間の距離情報であることを特徴とする
請求項２に記載の方法。
【請求項４】
第一の装置は、撮像部材を利用して第一の身体動作を検出し、前記第一の身体動作が掴み／挟み動作、引き取り動作が含まれる手振り動作であることを特徴とする
請求項１に記載の方法。
【請求項５】
デジタルメディアコンテンツ再生を転送する方法であって、
第二の装置は、第一の装置によって送信された第一のメッセージを受信した後、デジタルメディアコンテンツ再生を転送インするためのユーザの第二の身体動作を検出し、前記第二の身体動作を検出した場合に第一の装置へデジタルメディアコンテンツ再生能力を表すための第二のメッセージを送信することと、
前記第一の装置からの、前記第二のメッセージに応答するための第三のメッセージを受信し、前記第三のメッセージに基づいて、前記第一の装置のデジタルメディアコンテンツ再生を前記第二の装置に転送して再生することとを含み、
第二の装置は、デジタルメディアコンテンツ再生を転送インするための第二の身体動作を検出した後に、第二の装置とユーザの間の第二の位置関係情報を取得し、前記第二の位置関係情報を前記第二のメッセージにカプセル化して、第一の装置に送信する、方法。
【請求項６】
第二の装置が第二の身体動作を検出する前に、
第一の装置がデジタルメディアコンテンツ再生を転送アウトするためのユーザの第一の身体動作を検出して、第一の装置とユーザの間の第一の位置関係情報を取得し、前記第一の位置関係情報を、デジタルメディアコンテンツ再生の転送インを準備することを第二の装置に通知するための第一のメッセージにカプセル化して、少なくとも１つの第二の装置にブロードキャスト又はマルチキャストすることと、
第二の装置が１つ以上の第一の装置からの１つ以上の第一のメッセージを受信した後に、前記１つ以上の第一のメッセージにおける１つ以上の第一の位置関係情報に基づいて、前記第二のメッセージを受信するための１つの第一の装置を確定することとをさらに含むことを特徴とする
請求項５に記載の方法。
【請求項７】
第一の装置は、少なくとも１つの第二の装置からの第二のメッセージを受信した後に、前記第二のメッセージにおける第二の位置関係情報に基づいて、デジタルコンテンツ再生を転送するための１つの第二の装置を確定し、第三のメッセージを確定された第二の装置に送信することを特徴とする
請求項５に記載の方法。
【請求項８】
第二の装置は、前記第三のメッセージを受信した後に、前記第三のメッセージがデジタルメディアコンテンツ再生を転送するためのメッセージである場合、デジタルメディアコンテンツ再生を前記第二の装置に転送して再生することを特徴とする
請求項７に記載の方法。
【請求項９】
前記第一／第二の位置関係情報は、腕、手、第一／第二の装置の間の角度情報であり、あるいは、前記第一／第二の位置関係情報は、手または腕と第一／第二の装置の間の距離情報であることを特徴とする
請求項８に記載の方法。
【請求項１０】
前記第一の装置は、撮像部材を利用して第一の身体動作を検出し、前記第一の身体動作が掴み／挟み動作、引き取り動作が含まれる身体動作であり、前記第二の装置は、撮像部材を利用して第二の身体動作を検出し、前記第二の身体動作が投げ／指向／指の開放動作が含まれる身体動作であることを特徴とする
請求項９に記載の方法。
【請求項１１】
デジタルメディアコンテンツ再生を転送アウトするためのユーザの第一の身体動作を検出するように構成される第一の検出モジュールと、
デジタルメディアコンテンツ再生の転送インを準備することを少なくとも１つの第二の装置に通知するためのブロードキャスト／マルチキャストメッセージである第一のメッセージを送信し、前記少なくとも１つの第二の装置から前記第一のメッセージに応答する第二のメッセージを受信するように構成される第一の送受信モジュールと、
前記第二のメッセージに基づいて、デジタルコンテンツ再生を１つの第二の装置に転送し、前記１つの第二の装置によって再生するように構成される転送アウトモジュールとを含み、
前記転送アウトモジュールは、
前記少なくとも１つの第二の装置からの少なくとも１つの第二のメッセージを受信し、前記少なくとも１つの第二のメッセージにおける少なくとも１つの第二の位置関係情報を抽出するように構成される転送アウト抽出サブモジュールと、
前記少なくとも１つの第二の位置関係情報に基づいてデジタルメディアコンテンツを転送して再生するための１つの第二の装置を確定するように構成される転送アウト選択サブモジュールとを含む、デジタルメディアコンテンツ再生を転送する転送アウト装置。
【請求項１２】
デジタルメディアコンテンツ再生を転送する転送イン装置であって、
第一の装置によって送信された第一のメッセージを受信した後、デジタルメディアコンテンツ再生を転送インするためのユーザの第二の身体動作を検出するように構成される第二の検出モジュールと、
前記第二の検出モジュールが前記第二の身体動作を検出した場合、第一の装置へデジタルメディアコンテンツ再生能力を表すための第二のメッセージを送信し、前記第一の装置からの、前記第二のメッセージに応答するための第三のメッセージを受信するように構成される第二の送受信モジュールと、
前記第三のメッセージに基づいて、第一の装置のデジタルコンテンツ再生を前記デジタルメディアコンテンツ再生を転送する転送イン装置に転送して再生するように構成される転送インモジュールとを含み、
前記第二の送受信モジュールは、さらに、１つ以上の第一の装置からの、第一装置とユーザの間の第一の位置関係情報が含まれる１つ以上の第一のメッセージを受信し、前記１つ以上の第一のメッセージにおける１つ以上の第一の位置関係情報に基づいて、前記第二のメッセージを受信するための１つの第一の装置を確定するように構成される、デジタルメディアコンテンツ再生を転送する転送イン装置。
【請求項１３】
請求項１１に記載の転送アウト装置と請求項１２に記載の転送イン装置を含むデジタルメディアコンテンツ再生を転送するシステム。
【発明の詳細な説明】
【技術分野】
【０００１】
本発明は、通信および情報分野に関し、特にデジタルメディア装置間にデジタルメディアコンテンツ再生を転送する方法、転送イン（ｔｒａｎｓｆｅｒｒｉｎｇ−ｉｎ）装置、転送アウト（ｔｒａｎｓｆｅｒｒｉｎｇ−ｏｕｔ）装置、および関連するシステムに関する。
【背景技術】
【０００２】
デジタルマルチメディアとネットワークの発展により、人々の日常生活中の娯楽体験が向上される。現在の技術により、人々が自宅でＨＤテレビを見ることができ、テレビ番組ソースがデジタルディスク、ケーブルテレビ、インターネットなどに由来するかもしれなく、ステレオ、５．１チャネル、７．１チャネルさらにはよりリアルな音響効果を体験でき、そして人々がタブレット電子機器ＴＶ、携帯電話を使用してこれらの体験を実現することができる。従来技術は、さらに、人々がネットワークを介して異なる装置間にデジタルコンテンツを転送して再生し、およびその前のチャネル、次のチャネル番号を切り替えるように制御するなどのようにリモコン、手振り（Ｈａｎｄ  Ｇｅｓｔｕｒｅ）制御装置で再生することができる。
【０００３】
従来の複数の装置に対する制御方法について、現在、一般的に装置のそれぞれのリモコンをそれぞれ使用して制御するが、これらのリモコンが共通しない場合が多い。リモコンがほとんどネットワーク機能を備えていなく、例えば従来のテレビ、ステレオであって、ネットワークをサポートするリモコンもあり、例えば計算およびネットワーク能力を備える装置（例えば携帯電話、ＴＶ）にインターワーキングプロトコルをサポートするソフトウェアをロードして、別の装置を制御する。手振り制御は、現在比較的新しい方式であって、一つの装置のカメラが手振り動作を監視して分析および識別を行い、最後に当該装置に対する制御に変換する。
【０００４】
技術の発展に伴い、複数の装置間のコンテンツ再生共有、転送需要がますます多くなり、前記操作方式が非常に不便になり、または人々が山積みのリモコンから装置に対応するリモコンを選択して異なる装置に対する制御に伴ってリモコンを常に交換し、またはコンピュータの基本的な操作に精通している人々のみがＴＶ、携帯電話を操作することで装置を制御し、または簡単な手振りで単一の装置を制御することができる。より簡単、より自然な操作方式でコンテンツの共有再生、転送再生を制御することがより好ましい。
【０００５】
より簡単、より自然な操作方式を提供して装置間のコンテンツ再生転送、協同再生などの機能に対する制御を実現することができ、且つこのような操作方式の結果が正確であると、人々の娯楽生活がより簡単、より楽しくなる。その他、人々は、新しい装置の機能を把握する時により容易に理解し、より容易に使用することを望む。
【発明の概要】
【０００６】
本発明の実施形態の目的は、手振り動作でデジタルメディアコンテンツ再生転送を正確に制御する問題を少なくともより良く解決することができるデジタルメディアコンテンツ再生を転送する方法、装置、システムを提供することにある。
【０００７】
本発明の実施形態の一態様によるデジタルメディアコンテンツ再生を転送する方法は、
第一の装置がデジタルメディアコンテンツ再生を転送アウトするためのユーザの身体動作を検出し、デジタルメディアコンテンツ再生の転送インを準備することを第二の装置に通知するための第一のメッセージを第二の装置に送信することと、
第二の装置から前記第一のメッセージに応答する第二のメッセージを受信し、前記第二のメッセージに基づいて、デジタルメディアコンテンツ再生を第二の装置に転送し、第二の装置によって再生することとを含む。
【０００８】
好ましくは、第一の装置は、デジタルメディアコンテンツ再生を転送アウトするためのユーザの身体動作を検出した後に、第一の装置とユーザの間の第一の位置関係情報を取得し、前記第一の位置関係情報を前記第一のメッセージにカプセル化し、第二の装置に送信して、第二の装置が前記第一のメッセージにおける第一の位置関係情報に基づいて第二のメッセージを受信するための１つの第一の装置を確定する。
【０００９】
好ましくは、第一の装置は、１つ以上の第二の装置からの１つ以上の第二のメッセージを受信し、前記１つ以上の第二のメッセージにおける１つ以上の第二の位置関係情報を抽出し、前記１つ以上の第二の位置関係情報に基づいてデジタルメディアコンテンツを転送して再生するための１つの第二の装置を確定する。
【００１０】
好ましくは、前記第一／第二の位置関係情報は、腕、手、第一／第二の装置の間の角度情報であり、あるいは、前記第一／第二の位置関係情報は、手または腕と第一／第二の装置との間の距離情報である。
【００１１】
好ましくは、第一の装置は、撮像部材を利用して身体動作を検出し、前記身体動作が掴み／挟み動作、引き取り動作が含まれる手振り動作である。
【００１２】
本発明の実施形態の別の態様によるデジタルメディアコンテンツ再生を転送する方法は、
第二の装置がデジタルメディアコンテンツ再生を転送インするためのユーザの身体動作を検出し、第一の装置へデジタルメディアコンテンツ再生能力を表すための第二のメッセージを送信することと、
第一の装置からの、前記第二のメッセージに応答するための第三のメッセージを受信し、前記第三のメッセージに基づいて、第一の装置のデジタルメディアコンテンツ再生を本装置に転送して再生することとを含む。
【００１３】
好ましくは、第二の装置が身体動作を検出する前に、
第一の装置がデジタルメディアコンテンツ再生を転送アウトするための身体動作を検出して、第一の装置とユーザの間の第一の位置関係情報を取得し、前記第一の位置関係情報を、デジタルメディアコンテンツ再生の転送インを準備することを第二の装置に通知するための第一のメッセージにカプセル化して、第二の装置に送信することと、
第二の装置が１つ以上の第一の装置からの１つ以上の第一のメッセージを受信した後に、前記１つ以上の第一のメッセージにおける１つ以上の第一の位置関係情報に基づいて、前記第二のメッセージを受信するための１つの第一の装置を確定することとをさらに含む。
【００１４】
好ましくは、第二の装置は、デジタルメディアコンテンツ再生を転送インするための身体動作を検出した後に、第二の装置とユーザの間の第二の位置関係情報を取得し、前記第二の位置関係情報を前記第二のメッセージにカプセル化して、第一の装置に送信する。
【００１５】
好ましくは、第一の装置は、１つ以上の第二の装置からの第二のメッセージを受信した後に、前記第二のメッセージにおける第二の位置関係情報に基づいて、デジタルコンテンツ再生を転送するための１つの第二の装置を確定し、第三のメッセージを確定された第二の装置に送信する。
【００１６】
好ましくは、第二の装置は、前記第三のメッセージを受信した後に、前記第三のメッセージがデジタルメディアコンテンツ再生を転送するためのメッセージである場合、デジタルメディアコンテンツ再生を本装置に転送して再生する。
【００１７】
好ましくは、前記第一／第二の位置関係情報は、腕、手、第一／第二の装置の間の角度情報であり、あるいは、前記第一／第二の位置関係情報は、手または腕と第一／第二の装置の間の距離情報である。
【００１８】
好ましくは、前記第一の装置は、撮像部材を利用して身体動作を検出し、前記身体動作が掴み／挟み動作、引き取り動作が含まれる手振り動作であり、前記第二の装置は、撮像部材を利用して身体動作を検出し、前記身体動作が投げ／指向／指の開放動作が含まれる手振り動作である。
【００１９】
本発明の実施形態の別の態様によるデジタルメディアコンテンツ再生を転送する転送アウト装置は、
デジタルメディアコンテンツ再生を転送アウトするためのユーザの身体動作を検出するように構成される第一の検出モジュールと、
デジタルメディアコンテンツの転送インを準備することを第二の装置に通知するための第一のメッセージを第二の装置に送信し、第二の装置から前記第一のメッセージに応答する第二のメッセージを受信するように構成される第一の送受信モジュールと、
前記第二のメッセージに基づいて、デジタルコンテンツ再生を第二の装置に転送し、第二の装置によって再生するように構成される転送アウトモジュールとを含む。
【００２０】
好ましくは、前記転送アウトモジュールは、
１つ以上の第二の装置からの１つ以上の第二のメッセージを受信し、前記１つ以上の第二のメッセージにおける１つ以上の第二の位置関係情報を抽出するように構成される転送アウト抽出サブモジュールと、
前記１つ以上の第二の位置関係情報に基づいてデジタルメディアコンテンツを転送して再生するための１つの第二の装置を確定するように構成される転送アウト選択サブモジュールとを含む。
【００２１】
本発明の実施形態の別の態様によるデジタルメディアコンテンツ再生を転送する転送イン装置は、
デジタルメディアコンテンツ再生を転送インするためのユーザの身体動作を検出するように構成される第二の検出モジュールと、
第一の装置へデジタルメディアコンテンツ再生能力を表すための第二のメッセージを送信し、第一の装置からの、前記第二のメッセージに応答するための第三のメッセージを受信するように構成される第二の送受信モジュールと、
前記第三のメッセージに基づいて、第一の装置のデジタルコンテンツ再生を本装置に転送して再生するように構成される転送インモジュールとを含む。
【００２２】
好ましくは、前記第二の送受信モジュールは、さらに、１つ以上の第一の装置からの、第一装置とユーザの間の第一の位置関係情報が含まれる１つ以上の第一のメッセージを受信し、前記１つ以上の第一のメッセージにおける１つ以上の第一の位置関係情報に基づいて、前記第二のメッセージを受信するための１つの第一の装置を確定することに用いられる。
【００２３】
本発明の実施形態の別の態様によるデジタルメディアコンテンツ再生を転送するシステムは、前記転送アウト装置と転送イン装置を含む。
【００２４】
従来技術と比較すると、本発明の有益な効果は、次の通りである。
【００２５】
本発明の実施形態によると、ユーザのデジタルメディアコンテンツに対する体験がより便利になり、操作がより自然で使用しやすく、ユーザがデジタルメディアコンテンツ再生を転送するように操作する目的を正確に実現することができるだけでなく、一つの装置で再生される異なるタイプのデジタルメディアコンテンツ、例えばビデオ、オーディオなどを異なる装置に転送して再生することが可能となり、それによって人々の娯楽生活を向上させる効果を達成する。
【図面の簡単な説明】
【００２６】
【図１】本発明の第一の実施形態によるデジタルメディアコンテンツ再生を転送する方法の原理ブロック図である。
【図２】本発明の第一の実施形態によるデジタルメディアコンテンツ再生を転送する応用シーンを示す図である。
【図３】本発明の実施形態による手振りとカメラの角度を示す図である。
【図４】本発明の第一の実施形態による操作方法のネットワークメッセージフロー図である。
【図５】本発明の第二の実施形態によるデジタルメディアコンテンツ再生を転送する方法の原理ブロック図である。
【図６】本発明の第二の実施形態によるデジタルメディアコンテンツ再生を転送する方法の応用シーンを示す図である。
【図７】本発明の第二の実施形態による操作方法のネットワークメッセージフロー図である。
【図８】本発明の第三の実施形態によるデジタルメディアコンテンツ転送方法の原理ブロック図である。
【図９】本発明の第三の実施形態によるデジタルメディアコンテンツ転送の応用シーンを示す図である。
【図１０】本発明の第三の実施形態による操作方法のネットワークメッセージフロー図である。
【発明を実施するための形態】
【００２７】
以下、図面を参照して本発明の好ましい実施形態を詳しく説明する。以下に説明する好ましい実施形態は、本発明を説明して解釈するためのものだけであり、本発明を限定することに用いられるものではないと理解すべきである。
【００２８】
図１は本発明の第一の実施形態によるデジタルメディアコンテンツ再生を転送する方法の原理ブロック図である。図１に示すように、以下のステップを含む。
【００２９】
ステップ１０１において、第一の装置は、デジタルメディアコンテンツ再生を転送アウトするためのユーザの身体動作を検出し、第一の装置とユーザの間の第一の位置関係情報を取得し、そして前記第一の位置関係情報を、デジタルメディアコンテンツ再生の転送インを準備することを第二の装置に通知するための第一のメッセージにカプセル化して、第二の装置に送信する。
【００３０】
ステップ１０２において、第二の装置は、１つ以上の第一の装置からの１つ以上の第一のメッセージを受信した後に、前記１つ以上の第一のメッセージにおける１つ以上の第一の位置関係情報に基づいて、そのデジタルメディアコンテンツ再生能力を表すための第二のメッセージを受信するための１つの第一の装置を確定する。
【００３１】
ステップ１０３において、第二の装置は、デジタルメディアコンテンツ再生を転送インするためのユーザの身体動作を検出し、そして確定された１つの第一の装置へ前記第二のメッセージを送信する。
【００３２】
前記ステップ１０３は、具体的に、以下のとおりである。第二の装置は、デジタルメディアコンテンツ再生を転送インするためのユーザの身体動作を検出した後に、第二の装置とユーザの間の第二の位置関係情報を取得し、そして前記第二の位置関係情報を前記第二のメッセージにカプセル化して、確定された１つの第一の装置に送信する。第一の装置は、１つ以上の第二の装置からの第二のメッセージを受信した後に、前記第二のメッセージにおける第二の位置関係情報に基づいて、そのデジタルメディアコンテンツ再生を転送するための１つの第二の装置を確定し、そして第三のメッセージを確定された第二の装置に送信する。
【００３３】
ステップ１０４において、第一の装置からの、前記第二のメッセージに応答するための第三のメッセージを受信し、そして前記第三のメッセージに基づいて、第一の装置のデジタルメディアコンテンツ再生を本装置に転送して再生する。
【００３４】
前記ステップ１０４は、具体的に、第二の装置が前記第三のメッセージを受信した後に、前記第三のメッセージがデジタルメディアコンテンツ再生を転送するためのメッセージである場合、第一の装置のデジタルメディアコンテンツ再生を本装置に転送して再生することである。
【００３５】
好ましくは、前記第一／第二の位置関係情報は、腕、手、第一／第二の装置の間の角度情報であり、あるいは、前記第一／第二の位置関係情報は、手および／または腕と第一／第二の装置の間の距離情報である。
【００３６】
好ましくは、前記第一の装置は、その撮像部材を利用して身体動作を検出し、前記身体動作は、掴み／挟み動作、引き取り動作が含まれる手振り（Ｈａｎｄ  Ｇｅｓｔｕｒｅ）動作であり、前記第二の装置は、その撮像部材を利用して身体動作を検出し、前記身体動作は、投げ／指向／指の開放動作が含まれる手振り（Ｈａｎｄ  Ｇｅｓｔｕｒｅ）動作である。
【００３７】
すなわち、本発明の実施形態による第一の装置は、デジタルメディアコンテンツ再生を転送するトリガ能力を備える。トリガ能力とは、手がタッチスクリーンに掴み、ぶれるような動作、およびカメラの把持動作などが含まれる再生転送を準備する身体動作を受信または識別できることを意味する。前記第一の装置は、さらに、それが他の装置と互いに発見し、接続し、そして再生転送を準備することをトリガした身体動作を受信した後に、他の装置へメッセージを放送することが可能となるネットワーク能力を備える。前記第一の装置は、さらに、第二のメッセージに基づいて相手側装置を判定する能力を備える。本発明の実施形態における前記第二の装置がネットワーク能力と識別能力を備え、ネットワーク能力により、それが他の装置と互いに発見し、接続し、そして他の装置からの放送メッセージを受信することができる。前記第二の装置は、さらに識別能力を備え、前記識別能力とはデジタルメディアコンテンツ再生が本装置に転送されることを識別することができることを意味し、この識別能力がコンテキストにおける応用シーンと組み合わせ、手の投げ動作、手の指向動作または手がタッチスクリーンに開放するなどの動作を識別することを含む。前記第二の装置は、さらに、第一のメッセージに基づいて相手側装置を判定する能力を備える。
【００３８】
図２は本発明の第一の実施形態によるデジタルメディアコンテンツ再生を転送する応用シーンを示す図である。各装置およびその相互関係は、図２に示され、システムにおいて２つの装置がすべてテレビＴＶであり、すなわちＴＶ１とＴＶ２である。本実施形態において、ＴＶ１、ＴＶ２へ順次手振りをすることを例にして詳しく説明する。
【００３９】
ＴＶ１は、第一の装置として、デジタルメディアコンテンツを再生していて、前記デジタルメディアコンテンツがローカルに記憶されたビデオファイル、またはＩＰネットワークからのビデオストリーム、またはローカルのオーディオファイル、またはＩＰネットワークからのオーディオストリームであってよく、ホスト計算機の表示器として操作システムのデスクトップなどを表示していることもできる。
【００４０】
ＴＶ１に１つの撮像部材（例えばカメラ）があり、ユーザは、カメラの前に手で掴み動作などをすることができる。ＴＶ１は、カメラで取り込まれた動作を識別し、ユーザが掴みなどの動作をすることを知ることができる。
【００４１】
ＴＶ１は、デジタルメディアコンテンツ再生を転送するトリガ能力を備え、前記トリガ能力とは、ＴＶ１がカメラで動画像を取得し、それによって事前定義に従ってデジタルメディア内容再生の転送を準備する指示を識別して判定できることを意味する。
【００４２】
ＴＶ１にネットワークインタフェースが設置され、ＩＥＥＥ  ８０２．１１ｂ／ｇ／ｎまたはＩＥＥＥ  ８０２.３をサポートし、それによってＩＰネットワークに接続できる。
【００４３】
ＴＶ１内のモジュールは、さらにネットワークサービス能力を備え、ネットワークサービス能力により他の装置と互いに発見し、接続し、そして再生転送を準備することをトリガした指示を受信した後に、他の装置へメッセージを放送することができる。
【００４４】
ＴＶ２は、第二の装置として、１つのカメラ部材（例えばカメラ）を備える。ＴＶ１と同じであるので、ユーザは、カメラの前に手で投げ、解放、または指向動作などをすることができる。
【００４５】
ＴＶ２もデジタルメディアコンテンツ再生の転送を識別する能力を備え、すなわちＴＶ２は、カメラで動画像を取得し、それによって事前定義に従ってデジタルメディアコンテンツが本ＴＶ２に転送されて再生されることを識別し、すなわちデジタルメディアコンテンツがすぐに本装置に転送されることを知ることができ、この識別がコンテキストにおける応用シーンと組み合わせて、手の投げ動作、手の解放動作、手の指向動作または手がタッチスクリーンに開くこと（ＴＶ２にタッチスクリーンが設置されると仮定される）などの識別を含む。
【００４６】
ＴＶ２にネットワークインタフェースが設置され、ＩＥＥＥ  ８０２.１１ｂ／ｇ／ｎまたはＩＥＥＥ  ８０２.３をサポートし、それによってＩＰネットワークに接続できる。
【００４７】
ＴＶ２内のモジュールは、さらにネットワークサービス能力を備え、ネットワークサービス能力により、他の装置と互いに発見し、接続し、そしてＴＶ１の放送メッセージ、応答放送メッセージを受信することができ、さらにユーザから出された転送動作を識別した後に、ＴＶ１へ確認メッセージを送信し、最終ＴＶ１とデジタルメディア内容の再生転送を行うことができる。
【００４８】
機能モジュールにおいて、前記システムは、転送アウト装置を含み、前記第一の装置ＴＶ１がシステムの転送アウト装置であって、
デジタルメディア内容再生を転送アウトするためのユーザの身体動作を検出するように構成される第一の検出モジュールと、
デジタルメディアコンテンツ再生の転送インを準備することを第二の装置に通知するための第一のメッセージを第二の装置に送信し、そして第二の装置から前記第一のメッセージに応答する第二のメッセージを受信するように構成される第一の送受信モジュールと、
前記第二のメッセージに基づいて、そのデジタルメディアコンテンツ再生を第二の装置に転送し、第二の装置によって再生するように構成される転送アウトモジュールと、を含む。
【００４９】
好ましくは、前記転送アウトモジュールは、
１つ以上の第二の装置からの１つ以上の第二のメッセージを受信し、前記１つ以上の第二のメッセージにおける１つ以上の第二の位置関係情報を抽出するように構成される転送アウト抽出サブモジュールと、
前記１つ以上の第二の位置関係情報に基づいて、そのデジタルメディアコンテンツを転送して再生するための１つの第二の装置を確定するように構成される転送アウト選択サブモジュールと、を含む。
【００５０】
機能モジュールにおいて、前記システムは、転送イン装置をさらに含み、前記第二の装置ＴＶ２がシステムの転送イン装置であって、
デジタルメディアコンテンツ再生を転送インするためのユーザの身体動作を検出するように構成される第二の検出モジュールと、
第一の装置へそのデジタルメディアコンテンツ再生能力を表すための第二のメッセージを送信し、そして第一の装置からの、前記第二のメッセージに応答するための第三のメッセージを受信するように構成される第二の送受信モジュールと、
前記第三のメッセージに基づいて、第一の装置のデジタルメディアコンテンツ再生を本装置に転送して再生するように構成される転送インモジュールとを含む。
【００５１】
好ましくは、前記第二の送受信モジュールは、さらに、第一の装置からの、第一の装置とユーザの間の第一の位置関係情報が含まれる１つ以上の第一のメッセージを受信し、前記１つ以上の第一のメッセージにおける１つ以上の第一の位置関係情報に基づいて、前記第二のメッセージを受信するための１つの第一の装置を確定するように構成される。
【００５２】
前記第一の検出モジュールと第二の検出モジュールは、すべて動作入力機能サブモジュール、例えばタッチスクリーン、カメラを備え、さらに識別機能サブモジュールを備える。前記動作入力サブモジュールは、収集された動作を識別機能サブモジュールに引き渡し、識別機能サブモジュールによって動作の意味を識別し、例えばデジタルメディアコンテンツ再生を転送しようとすること、デジタルメディアの再生が本装置に転送されることなどを識別する。
【００５３】
前記第一の送受信モジュールと第二の送受信モジュールは、すべてネットワークサービス機能サブモジュールとネットワークインタフェースを備え、前記識別機能サブモジュールがネットワークサービス機能サブモジュールと接続し、識別された動作意図をネットワークサービス機能サブモジュールに引き渡し、ネットワークサービス機能モジュールによって組織してネットワークメッセージを形成し、そしてネットワークメッセージを送信するようにネットワークインタフェースに命令し、且つネットワークサービス機能サブモジュールがネットワークメッセージを受信できる。ネットワークインタフェース側は、各種類のネットワークにネットワークメッセージを送信し、受信することを担当する。
【００５４】
本実施形態において、ＴＶ１で識別可能な動作は、それぞれ次の通りである。
【００５５】
グループ１：
１）掴み：ユーザは、カメラに向かって手で掴み動作、または挟み動作をする；
２）引き取り：ユーザは、カメラに向かって手のひらと腕で引き取り（テイクバック）動作をし、腕がますカメラに向かって伸ばし、次に前腕がユーザの身体の中線方向へ曲げる。
【００５６】
本実施形態において、ＴＶ２で識別可能な動作は、それぞれ次の通りである。
【００５７】
グループ２：
１）投げ：ユーザは、ＴＶ２に向かって手で投げ動作をする；
２）解放：ユーザは、まずグループ１における掴みまたは挟み手振りを維持し、次にＴＶ２のカメラに向かって手で解放動作をする；
３）指向：ユーザは、ＴＶ２のカメラに向かって手で指向動作をする；
４）開放：ＴＶ２がタッチスクリーンを備えると、まず５本の指を絞り、次に指でタッチスクリーンに開放動作をする。
【００５８】
カメラで動作意図を識別する方面において、手振り動作の識別についてヒストグラムまたは隠れマルコフモデル法を使用することができる。まずユーザの身体動作がカメラの取り込み範囲内に入らなければならなく、このようにしてカメラが手振りビデオを生成して識別機能サブモジュールに引き渡し、識別機能サブモジュールがビデオにおける手振り画像に対して色、または輪郭、または構造光分析などの方法により手の位置を識別し、手振りオブジェクトを検出して分割し、手振り特徴を抽出し、手振り動作をトラッキングし、次に指の方向、運動方向シーケンスを処理し、最後手振り動作を完全に識別し、この場合に事前定義された手振り動作と空間比較を行うなどの方法を採用して、ユーザの動作操作意図を確定することができる。
【００５９】
前記手振り動作以外、目の動き、体の姿勢などの動作を用いることができる。
【００６０】
上記の２つのグループの動作に対して、それぞれ各グループからそれぞれ１つの組み合わせを選択し、それぞれがデジタルメディアコンテンツの転送制御を完了でき、例えばまずグループ１の１）を選択してＴＶ１に動作をし、次にＴＶ２のカメラに向かってグループ２の動作２）をする。
【００６１】
ＴＶ１とＴＶ２のネットワークサービス能力は、
１）ＴＶ１とＴＶ２がネットワークを介して互いに発見することができること、
２）ネットワーク交渉により操作を制御すること、
３）デジタルメディアコンテンツの伝送を行うこと、を含む。
【００６２】
ＴＶ１は、デジタルメディアコンテンツ再生の転送を準備する身体動作を受信または識別した後に、身体動作（例えば手振り動作）の受信または識別を準備するようにＴＶ２に指示する第一のメッセージを送信し、前記メッセージにそれとユーザの第一の位置関係情報（例えば手振り位置情報）が含まれる。その後、ＴＶ２は、デジタルメディアコンテンツ再生を本装置に転送させようとする身体動作を受信または識別した後に、ＴＶ１へ第二のメッセージを送信し、デジタルメディアコンテンツ再生の受信を準備したことをＴＶ１に通知し、前記第二のメッセージにそれとユーザの第二の位置関係情報（例えば手振り位置情報）が含まれる。最後に、ＴＶ１は、ＴＶ２へデジタルメディアコンテンツ再生の転送を確認し、再生の転送を完了する。
【００６３】
ここで、前記手振り位置情報は、手振りと装置の角度パラメータであってよく、手振りと装置の間の距離パラメータであってもよい。このようにして、複数の第一の装置および／または複数の第二の装置がある場合、本装置は、相手側の手振り位置情報に基づいて、最適な相手側装置を判定し、そしてメッセージに応答することができる。
【００６４】
図３は本発明の実施形態による手振りとカメラの角度を示す図である。図３に示すように、本発明が解決しようとする問題のシーンにおいて、第一の装置または第二の装置が１つだけではなく、操作を行うユーザが自分の位置、姿態を正確に調整して順方向で各装置に直面する必要がないことを考えて、システムに２つの第二の装置があることを例にして、図３に示すように、ＴＶ１、ＴＶ２の２つの装置があって、ユーザを座標中心として、装置とユーザの手振りの角度が存在する。この実施形態において、装置は、手振りを識別する場合に、ユーザの手振りの伸ばし線とカメラの角度、距離を識別でき、これは従来技術における赤外線を増加して測定、レーザ測定、測定などを行う技術により実現されることができる。
【００６５】
図３において、識別機能を備える任意の装置は、まず腕を識別し、腕の手の他の端点を座標原点として、手のひら（指）が左から右へ動く（ユーザより観察される）と、角度が０°から３６０°になり、手のひら（指）が上から下へ動くと、角度が０°から１８０°になる。ここで、装置は、カメラ、手、腕の他の端点という３つの点からなる三角形における、カメラ−手の線と手−腕の線との夾角を計算する必要がある。この夾角の角度が大きいほど、手振りの指向がこの三角形におけるカメラを指す傾向がある、すなわちカメラが存在する装置を指す傾向があることを表す。角度の大きさとそれに対応する意味は、次の通りである。
【００６６】
<０°：手の指向が本装置に向かわないことを表す；
０°−９０°：手の指向が本装置に向かわないかもしれないことを表す；
９０°−１８０°：この場合において、手、腕、カメラがますます１本の直線に近づき、指の指向が本装置に指す可能性が大きいことを表す；
１８０°：この場合において、手、腕、カメラが１本の直線に存在し、指が本装置に指向することを確定できる。
【００６７】
他の実施形態として、図３において、依然として上述したように座標原点を規定し、ここで、他の点を座標原点として選択することができる。手のひら（指）が左から右へ動く（ユーザより観察される）と、角度が０°から３６０°になり、手のひら（指）が上から下へ動くと、角度が０°から１８０°になり、ここで、他の方向の所定方向を選択することもできる。装置は、カメラ、手、腕の他の端点という３つの点からなる三角形における、カメラ−手の線と手−腕の線、腕の他の端点−カメラの線の共の３本の線の長さを計算する必要があり、長さの計算において、識別モジュールは、この３つの長さを直接測定することができ、基準距離を測定して割合で計算することもできる。
【００６８】
または、位置関係は、手または手からカメラまでの距離を含むこともできる。
【００６９】
図４は本発明の第一の実施形態による操作方法のネットワークメッセージフロー図である。
【００７０】
図４において、第一の装置がＴＶ１装置であり、第二の装置が２つであって、それぞれＴＶ２と音響システム（Ａｕｄｉｏ  Ｓｙｓｔｅｍ）である。この実施形態において、デジタルメディアコンテンツがＴＶ１で再生され、ユーザは、デジタルメディアコンテンツ再生を、ＴＶ１からＴＶ２に転送するように操作し、ユーザにとって、そのシーンと体験は、手振りでビデオを再生しているＴＶ１のスクリーンに掴み、引き取り動作をし、その後、手がＴＶ２のカメラの方向に向かって投げ動作をし、その結果、元のＴＶ１で再生されるデジタルメディアコンテンツが現在ＴＶ２で再生され、ユーザがＴＶ２で再生されるビデオコンテンツを直接見ることができる。この過程において、ユーザがスクリーンにおけるメニューを識別する必要がなく、さらにはユーザがスクリーンのボタンなどをクリックする必要がなく、ユーザがリモコンを使用する必要もない。ユーザが手振りを使用して操作する場合、ユーザがＴＶ２のカメラに向かって操作することを要求せず、手振り方向がおおよそＴＶ２に向かうだけでよく、また、識別機能を備える複数の装置（例えばもう一つの音響システム）がデジタルメディアコンテンツ再生を転送する時に衝突することを心配する必要がない。
【００７１】
各実施形態において、前記装置同士は、ネットワークを介して互いに接続し、そして互いに通信することができ、互いに発見する能力を備えることもできる。
【００７２】
具体的には、この機能の処理プロセスは、次の通りである。
【００７３】
ステップ４０１において、ユーザがＴＶ１で第一の動作を実演し、ＴＶ１がこの動作を識別し、ユーザの転送意図、すなわち現在のＴＶ１のビデオ再生が他の装置に転送されて再生されることを識別する。
【００７４】
ここでの第一の動作は、前記グループ１のいずれかの動作であってもよい。ＴＶ１は、少なくともその中の１つの動作をサポートすることができる。これらの動作に対する識別がＴＶ１においてコンテキストと組み合わせて事前定義され、一部の動作の識別が画像識別アルゴリズムを組み合わせて使用し、それによってＴＶ１が動作で表される意味、すなわち現在のビデオ再生が他の装置に転送されて再生されることを識別できる。
【００７５】
このステップは、ＴＶ１即ち第一の装置のデジタルメディアコンテンツ再生転送トリガ能力に依存し、トリガ能力が再生の転送を準備する身体動作を受信または識別し、他の装置をトリガしてデジタルメディアコンテンツ指示を知ることができる。
【００７６】
前記ステップ４０１において、第一の装置のカメラは、ずっと監視、識別を維持することができ（それが他の装置からのコンテンツを受信したかもしれないので）、開始の手振りまたは他の開始方式によりカメラの監視機能を稼働させることもできる。前記ステップ４０１において、第一の装置は、デジタルメディアコンテンツ再生の転送を準備する指示の受信を完了し、または、第一の装置は、デジタルメディアコンテンツ再生の転送を準備する指示（例えば掴み動作）の識別を完了する。
【００７７】
ステップ４０２において、ＴＶ１は、デジタルメディアコンテンツ再生を転送アウトするためのユーザの身体動作を識別した後に、第一のメッセージであるＲＥＡＤＹ  ＰＬＥＡＳＥを放送する。
【００７８】
ＴＶ１は、動作を識別し、デジタルメディアコンテンツ再生転送意図を識別した後に、ネットワークサービス機能を稼働させ、予め規定されたアドレスとポートでブロードキャスト／マルチキャストメッセージを送信し、メッセージに、受信動作を識別することを他の装置に通知するための情報が含まれる。このメッセージは、本発明においてＲＥＡＤＹ  ＰＬＥＡＳＥと呼ばれ、識別、受信準備を行うことを他の装置に通知し、そして本装置のデジタルメディアコンテンツ再生能力を報告することに用いられる。前記第一のメッセージに含まれる情報は、次の通りである。
【００７９】
本装置の名称、アドレス、ポート：デジタルメディアコンテンツ再生のＲＥＡＤＹ  ＰＬＥＡＳＥメッセージの送信アドレス、およびその後準備応答メッセージを受信するアドレスである；
識別された手振り位置関係：カメラに対する手振りの角度、距離などの手振りとカメラの位置関係のデータを含み、その識別方法、表示方法などに対して図３に示す方法を用いることができ、このような位置関係を表す他のデータを用いることもできる；
デジタルメディアコンテンツタイプの指示：画像、または動画像、またはサウンド、またはデスクトップまたはそれらの組み合わせのうちの１つであってよい；
デジタルメディアコンテンツ属性：デジタルメディアコンテンツタイプが画像である場合、画像符号化モードを含み、デジタルメディアコンテンツタイプが動画像である場合、画像符号化モード、フレームレートなどを含み、デジタルメディアコンテンツタイプがサウンドである場合、符号化モードおよび／サンプリングレートなどを含み、デジタルメディアコンテンツタイプがデスクトップである場合、デスクトップのサイズ、解像度などを含み、デジタルメディアコンテンツタイプが組み合わせ方式である場合、組み合わせのうちの各タイプの対応するパラメータを含む；
デジタルメディアコンテンツを送信する伝送プロトコルパラメータ：アドレス、ポート、および他のプロトコルパラメータセットを含み、最終デジタルメディアコンテンツの転送を確認した場合、ここに記載されているパラメータを使用してデジタルメディアコンテンツを送信する；
タイムアウト時間：このＲＥＡＤＹ  ＰＬＥＡＳＥメッセージの有効時間を表し、すなわち指定された時間を超えた後、今回の転送意図が無効になる（取り消される）。
【００８０】
前記ステップ４０２を完了する前に、ＴＶ２、音響システムのネットワークの能力により、ＴＶ１とＴＶ２、音響システムは、相互接続を完了することができ、同様に装置のネットワーク能力に依存し、本装置にデジタルメディアコンテンツ再生転送をトリガした指示を受信した後に、ＴＶ１は、ネットワークを介して、手振り動作の受信または識別を準備することを他の装置に指示するメッセージ指示を送信し、すなわち他の装置がデジタルメディアコンテンツの転送を受信できるかどうかを確認する必要がある。
【００８１】
簡単に言えば、前記ステップ４０２において、第一の装置ＴＶ１は、デジタルメディアコンテンツ再生転送を受信できるかどうかを確認することを他の装置に指示する指示を送信する。
【００８２】
ステップ４０３において、第二の装置ＴＶ２、音響システムは、第二の動作を識別する。
【００８３】
前記第二の動作は、前記グループ２のいずれかの動作であってよく、ＴＶ２、音響システムは、少なくともその中の１つの動作をサポートする。これらの動作に対する識別は、ＴＶ２、音響システムにおいてコンテキストと組み合わせて事前定義されたものであり、このようなコンテキストは、ＴＶ１の第一のメッセージを受信した後にカメラが識別機能を稼働させることを含み、動作識別が画像識別アルゴリズムを組み合わせて使用し、それによってＴＶ２、音響システムは、動作で表される意味、すなわち現在のビデオ再生が本装置に転送されて再生されることを識別できる。
【００８４】
なお、この実施形態において、複数の第二の装置があり、すなわち複数のテレビ装置および／またはセットトップボックス装置および／または音響装置などは、上記の機能を備えることができる。ここでＴＶ２、音響システムの２つの装置が使用され、前記ＴＶ２、音響システムは、すべて第二の動作を識別できる。
【００８５】
ステップ４０３において、第二の装置は、デジタルメディアコンテンツ再生が本装置に転送されて再生することを識別する。
【００８６】
ステップ４０４において、第二の装置ＴＶ２、音響システムは、デジタルメディアコンテンツ再生を転送インするためのユーザの身体動作を識別した後に、ＴＶ２、音響システムが第二のメッセージであるＰＡＩＲＥＤ  ＯＫまたはＰＡＩＲ  ＦＡＩＬＵＲＥＤを送信する。
【００８７】
前記ステップ４０４において、前記第二のメッセージは、２種類であって、装置がデジタルメディアコンテンツ再生を受信できることを表すＰＡＩＲＥＤ  ＯＫと、装置が動作を識別したが、転送されたデジタルメディアコンテンツ再生を受信できないことを表すＰＡＩＲ  ＦＡＩＬＵＲＥＤである。本実施形態において、ＴＶ２、音響システムは、ＴＶ１へＰＡＩＲＥＤ  ＯＫを送信する。
【００８８】
ＴＶ２、音響システムは、本装置に対する動作を識別し、すなわちデジタルメディアコンテンツ再生が本装置に転送される意図を識別した後に、本装置が前記ＴＶ１から送信された第一のメッセージに示されるデジタルメディアコンテンツを受信できると、ネットワークサービス機能を稼働させ、そして予め規定されたアドレスとポートでＴＶ１へ第二のメッセージＰＡＩＲＥＤ  ＯＫを送信し、前記第二のメッセージにＴＶ１に返答するための情報である、本装置がデジタルメディアコンテンツを受信できることを確認することが含まれる。本装置が前記ＴＶ１から送信された第一のメッセージに示されるデジタルメディアコンテンツを受信できないと、ネットワークサービス機能を稼働させ、予め規定されたアドレスとポートでＴＶ１へ第二のメッセージＰＡＩＲ  ＦＡＩＬＵＲＥを送信し、前記メッセージにＴＶ１に返答するための情報である、本装置がどの理由でデジタル再生を受信できないことが含まれる。当然、装置ＴＶ２、音響システムは、ＴＶ１のメッセージに応答しない、すなわちいかなるメッセージを送信しないことができる。
【００８９】
ＴＶ２、音響システムは、１つだけのＴＶ１へ第二のメッセージを送信することができる。すなわち、ＴＶ２、音響システムは、ＴＶ１のような複数の第一の装置から送信された第一のメッセージを受信する可能性があって、この場合にＴＶ２、音響システムは、受信された第一のメッセージにおける第一の装置からの手振り位置情報に基づいて、最も正確な第一の装置を判定して選択し、そしてこの第一の装置へ第二のメッセージＰＡＩＲＥＤ  ＯＫに応答する。
【００９０】
前記ＴＶ２、音響システムは、複数の第一の装置からの手振り位置情報に基づいて判定するステップは、図３に記載される実施形態に基づいて処理されることができ、例えば、いくつかのＴＶ１からの角度データは、次の通りである。
【００９１】
ＴＶ１（１）：１００°
ＴＶ１（２）：１７０°
ＴＶ１（３）：８０°
この場合、ＴＶ２、音響システムは、ＴＶ１（２）をターゲット装置として選択して準備応答メッセージを送信する。
【００９２】
ＴＶ１が角度パラメータではなく、距離パラメータを与える場合、ＴＶ２、音響システムは、三角関数数式に基づいて計算することができ、前記角度を計算した後に、ＴＶ１を選択する。
【００９３】
好ましくは、前記第二のメッセージＰＡＩＲＥＤ  ＯＫには、第二の装置のデジタルメディアコンテンツ再生能力が含まれ、例えば以下の情報がある。
【００９４】
本装置の名称、アドレス、ポート：ＰＡＩＲＥＤ  ＯＫメッセージの送信アドレス、および後のメッセージ交換のアドレスである；
識別された手振り位置関係：カメラに対する手振りの角度、距離などの手振りとカメラの位置の関係のデータを含み、識別方法、表示方法などは、図３に示す実施形態の方法であってよく、当然このような位置関係を表す他のデータを用いることもできる。
【００９５】
受信可能なデジタルメディアコンテンツタイプの指示：画像、または動画像、またはサウンド、またはデスクトップまたはそれらの組み合わせのうちの１つであってよく、これはＴＶ２、音響システムがＴＶ１へコンテンツタイプを確認することである；
デジタルメディアコンテンツ属性：デジタルメディアコンテンツタイプが画像である場合、画像符号化モードを含み、デジタルメディアコンテンツタイプが動画像である場合、画像符号化モード、フレームレートなどを含み、デジタルメディアコンテンツタイプがサウンドである場合、符号化モードおよび／サンプリングレートなどを含み、デジタルメディアコンテンツタイプがデスクトップである場合、デスクトップのサイズ、解像度などを含み、これは、ＴＶ２がＴＶ１へコンテンツ属性を確認することである；
送信されたデジタルメディアコンテンツを受信する伝送プロトコルパラメータ：アドレス、ポート、および他のプロトコルパラメータセットを含み、デジタルメディアコンテンツの転送を確立すれば、ここに記載されるパラメータを用いて受信し、これは、ＴＶ２、音響システムがＴＶ１へコンテンツ伝送プロトコルを確認することである；
タイムアウト時間：このメッセージの有効時間を表し、すなわち指定された時間を超えた後、今回のデジタルメディアコンテンツを受信できる意図が無効になる（取り消される）。
【００９６】
前記ステップ４０４において、第二の装置は、第一の装置へデジタルメディアコンテンツ再生の受信を準備したことを確認する。
【００９７】
ステップ４０５において、ＴＶ１は、ＰＡＩＲＥＤ  ＯＫメッセージに対して応答であるＰＡＩＲＥＤ  ＣＯＮＦＩＲＭまたはＰＡＩＲ  ＲＥＦＵＳＥＤを与える。
【００９８】
ＴＶ１は、さらにＴＶ２または音響システムへ第三のメッセージＰＡＩＲＥＤ  ＣＯＮＦＩＲＭまたはＰＡＩＲ  ＲＥＦＵＳＥＤを送信し、前記ＰＡＩＲＥＤ  ＣＯＮＦＩＲＭがＴＶ１によってＴＶ１がデジタルメディアコンテンツを送信しても構わないＴＶ２または音響システムに送信され、前記ＰＡＩＲ  ＲＥＦＵＳＥＤがＴＶ１によってＴＶ１がデジタルメディアコンテンツを転送しないＴＶ２または音響システムに送信される。本実施形態において、ＴＶ１は、ＴＶ２へＰＡＩＲＥＤ  ＣＯＮＦＩＲＭを送信し、音響システムへＰＡＩＲ  ＲＥＦＵＳＥＤを送信し、すなわちＴＶ１がデジタルメディアコンテンツをＴＶ２に転送して再生する。
【００９９】
ＴＶ１は、複数の第二の装置例えば図面におけるＴＶ２、音響システムからのＰＡＩＲＥＤ  ＯＫを受信し、そしてその中の第二の装置により識別された手振り位置情報に基づいて最適な第二の装置を判定し、例えば図３に示す実施形態によれば、受信された準備済みメッセージによって報告された角度が最も直線に近くおよび／または距離が最も小さいことに基づいてＴＶ２または音響システムを選択し、そして選択されたＴＶ２または音響システムへＰＡＩＲＥＤ  ＣＯＮＦＩＲＭに応答する。
【０１００】
例えば、ＴＶ２、音響システムからの角度データは、次の通りである場合、
ＴＶ２（１）：１００°
ＴＶ２（２）：１７０°
音響システム：８０°
ＴＶ１は、ＴＶ２（２）をターゲット装置として選択してメッセージに応答する。
【０１０１】
ＴＶ２または音響システムが角度パラメータではなく距離パラメータを与えると、ＴＶ１は、三角関数数式に基づいて計算することができ、角度を計算した後に、ターゲット装置を選択する。
【０１０２】
当然、ＴＶ１は操作インターフェースを提供することもでき、ユーザ自分によりターゲット装置を選択し、例えばスクリーンにオプションを表示し、ユーザより装置を選択し、そして後のプロセスを続ける。
【０１０３】
ステップ４０６において、ＴＶ１の現在のデジタルメディアコンテンツ再生をＴＶ２に転送して再生する。
【０１０４】
ＴＶ１とＴＶ２の間にネットワークメッセージで確認した後、完了するまたは中止されるまでＴＶ１とＴＶ２の間にデジタルメディアコンテンツ再生を開始する。
【０１０５】
デジタルメディアコンテンツ再生の転送に対して、前記ＴＶ１とＴＶ２がメッセージ交渉を行うメディア伝送プロトコルを使用し、例えば、リアルタイム伝送プロトコル／リアルタイム伝送制御プロトコル（ＲＴＰ／ＲＴＣＰ：Ｒｅａｌ  Ｔｉｍｅ  Ｔｒａｎｓｐｏｒｔ  Ｐｒｏｔｏｃｏｌ  Ｔｉｍｅ  Ｔｒａｎｓｐｏｒｔ  Ｃｏｎｔｒｏｌ  Ｐｒｏｔｏｃｏｌ）、ＨＴＴＰモードの適応型ストリーミング（ＨＡＳ：ＨＴＴＰ  Ａｄａｐｔｉｖｅ  Ｓｔｒｅａｍｉｎｇ）、ファイル伝送プロトコル（ＦＴＰ：Ｆｉｌｅ  Ｔｒａｎｓｐｏｒｔ  Ｐｒｏｔｏｃｏｌ）、ＷｉＦｉの表示技術（ＷｉＦｉ  Ｄｉｓｐｌａｙ）、無線ホームデジタルインターフェース（ＷＨＤＩ：Ｗｉｒｅｌｅｓｓ  Ｈｏｍｅ  Ｄｉｇｉｔａｌ  Ｉｎｔｅｒｆａｃｅ）、無線ＨＤ（ＷｉＨＤ：Ｗｉｒｅｌｅｓｓ  Ｈｉｇｈ  Ｄｅｆｉｎｉｔｉｏｎ）プロトコルなどを使用することができる。
【０１０６】
転送過程において、ＴＶ１とＴＶ２の間に符号化及び復号化パラメータ、再生される内容の時間シフトパラメータなどの情報を伝送することができる。
【０１０７】
ＴＶ１のデジタルメディアコンテンツ再生が終了するまたは伝送が終了する場合、ＴＶ１は、メッセージをＴＶ２に送信し、再生が終了することをＴＶ２に通知し、ネットワーク接続を閉じることができる。
【０１０８】
第一の実施形態において、第一の装置とするＴＶ１は、まず自分に対する手振り、再生転送を出すマルチキャスト要求メッセージ（第一のメッセージ）を識別し、次にＴＶ２は、第二の装置として自分の手振りを識別し、ＴＶ１へ第二のメッセージを送信する。さらに、第一の装置ＴＶのみに対して手振り動作をすることができ、ＴＶ１は、自分に対する手振りを識別した後に、再生転送交渉をトリガするように第一のメッセージを送信する。
【０１０９】
図５は本発明の第二の実施形態によるデジタルメディアコンテンツ再生を転送する方法の原理ブロック図である。図５に示すように、以下のステップを含む。
【０１１０】
ステップ５０１において、第一の装置は、デジタルメディアコンテンツ再生を転送アウトするためのユーザの身体動作を検出し、そしてデジタルメディアコンテンツ再生の転送インを準備することを第二の装置に通知するための第一のメッセージを第二の装置に送信する。
【０１１１】
前記ステップ５０１は、具体的には、第一の装置がデジタルメディアコンテンツ再生を転送アウトするためのユーザの身体動作を検出した後に、第一の装置とユーザの間の第一の位置関係情報を取得し、そして前記第一の位置関係情報を前記第一のメッセージにパッケージングし、第二の装置に送信して、第二の装置が第一のメッセージにおける第一の位置関係情報に基づいてその第二のメッセージを受信するための１つの第一の装置を確定することである。
【０１１２】
ステップ５０２において、第二の装置から前記第一のメッセージに応答する第二のメッセージを受信し、そして前記第二のメッセージに基づいて、そのデジタルメディアコンテンツ再生を第二の装置に転送し、第二の装置によって再生する。
【０１１３】
前記ステップ５０２は、具体的には、第一の装置が１つ以上の第二の装置からの１つ以上の第二のメッセージを受信し、前記１つ以上の第二のメッセージにおける１つ以上の第二の位置関係情報を抽出し、そして前記１つ以上の第二の位置関係情報に基づいてそのデジタルメディアコンテンツを転送するための１つの第二の装置を確定することである。
【０１１４】
好ましくは、前記第一／第二の位置関係情報は、腕、手、第一／第二の装置の間の角度情報であり、あるいは、前記第一／第二の位置関係情報は、手または腕と第一／第二の装置の間の距離情報である。
【０１１５】
好ましくは、第一の装置は、そのカメラ部材で身体動作を検出し、前記身体動作は、掴み／挟み動作、引き取り動作が含まれる手振り動作である。
【０１１６】
図６は本発明の第二の実施形態によるデジタルコンテンツ再生を転送する方法の応用シーンを示す図である。各装置およびその相互関係は、図６に示される。システムにおける２つの装置がすべてテレビＴＶであり、すなわちＴＶ１とＴＶ２である。
【０１１７】
ＴＶ１が第一の装置として１つのカメラ部材（例えばカメラ）を備え、ユーザは、カメラの前に手で掴み、または引き取り動作などをすることができる。本実施形態において、ＴＶ１で識別可能な動作は、それぞれ次の通りである。
【０１１８】
１）掴み：ユーザは、カメラに向かって手で掴み動作、または挟み動作をする；
２）引き取り：ユーザは、カメラに向かって手のひらと腕で引き取り（テイクバック）動作：腕をまずカメラに向かって伸ばし、次に前腕がユーザの身体の中線方向へ曲げることをする。
【０１１９】
ＴＶ１は、デジタルメディアコンテンツ再生が本装置から転送アウトされる身体動作を識別した後に、ＴＶ２へ受信準備をすることをＴＶ２に通知するための第一のメッセージを送信し、そしてデジタルメディアコンテンツ再生転送を行うように本装置のデジタルメディアコンテンツ再生能力を報告する。
【０１２０】
図７は本発明の第二の実施形態による操作方法のネットワークメッセージフロー図である。図７に示すように、本実施形態において２つの第一の装置ＴＶ１とＴＶ３、１つの第二の装置ＴＶ２があり、以下のステップを含む。
【０１２１】
ステップ７０１において、ユーザは、ＴＶ１へ第一の動作を実演し、ＴＶ１とＴＶ３がすべてこの動作を識別し、ユーザの転送意図、すなわち現在のビデオ再生が他の装置に転送されて再生されることを識別する。
【０１２２】
ステップ７０２において、ＴＶ１とＴＶ３は、それぞれデジタルメディアコンテンツ再生を転送アウトするためのユーザの身体動作を識別し、それぞれ識別、受信準備をすることを他の装置に通知するための第一のメッセージであるＲＥＡＤＹ  ＰＬＥＡＳＥを放送し、そして本装置のデジタルメディアコンテンツ再生能力を報告する。
【０１２３】
ステップ７０３において、ＴＶ２、音響システムは、１つだけのＴＶ１へ第二のメッセージであるＰＡＩＲＥＤ  ＯＫまたはＰＡＩＲ  ＦＡＩＬＵＲＥＤを送信することができる。すなわち、ＴＶ２は、ＴＶ１とＴＶ３のような複数の第一の装置からの第一のメッセージを受信した後に、受信された第一のメッセージにおける第一の装置からの手振り位置情報に基づいて、最も正確な第一の装置を判定して選択し、そしてこの第一の装置へ第二のメッセージに応答する。本実施形態において、ＴＶ２は、ＴＶ１へデジタルメディアコンテンツ再生転送を準備したことを確認し、すなわちＴＶ１へ第二のメッセージＰＡＩＲＥＤ  ＯＫを送信する。
【０１２４】
ステップ７０４において、ＴＶ１は、ＰＡＩＲＥＤ  ＯＫメッセージに対して応答であるＰＡＩＲＥＤ  ＣＯＮＦＩＲＭを与え、すなわちＴＶ１は、デジタルメディアコンテンツ再生をＴＶ２に転送して再生する。
【０１２５】
ステップ７０５において、ＴＶ１の現在のデジタルメディアコンテンツ再生をＴＶ２に転送して再生する。
【０１２６】
ＴＶ１とＴＶ２の間にネットワークメッセージで確認した後に、完了するまたは中止されるまでＴＶ１とＴＶ２の間にデジタルメディアコンテンツ再生の転送を開始する。
【０１２７】
本発明による第三の実施形態は、デジタルコンテンツを再生している第一の装置（ＴＶ１）がある場合において、ユーザがまず複数の第二の装置（ＴＶ２など）に対して手振り動作をし、ＴＶ２などの装置が手振りを識別した後に、ネットワークメッセージ（第二のメッセージ）：ＰＡＩＲＥＤ  ＯＫをトリガし、当該メッセージがマルチキャスト／ブロードキャストモードで送信され、メッセージに含まれるコンテンツが前記第一の実施形態に記載されるものと同じであり、デジタルメディアコンテンツを再生している第一の装置ＴＶ１がこのようなＰＡＩＲＥＤ  ＯＫメッセージを受信した後に、前記実施形態における判定モードを使用する。すなわち、位置関係情報に基づいて１つのターゲット装置（例えばＴＶ２）を判定して選択し、ＴＶ１がＴＶ２へＰＡＩＲＥＤ  ＣＯＮＦＩＲＭに応答し、メッセージに受信されたＰＡＩＲＥＤ  ＯＫに対する交渉情報が含まれる。ＴＶ１、ＴＶ２が１対１の接続を確立した後に、後の再生転送制御が前記実施形態と類似する。以下、図８〜図１０でさらに説明する。
【０１２８】
図８は本発明の第三の実施形態によるデジタルメディアコンテンツ再生を転送する方法の原理ブロックである。図８に示すように、以下のステップを含む。
【０１２９】
ステップ８０１において、第二の装置は、デジタルメディアコンテンツ再生を転送インするためのユーザの身体動作を検出し、そして第一の装置へそのデジタルメディアコンテンツ再生能力を表すための第二のメッセージを送信する。
【０１３０】
前記ステップ８０１は、具体的には、第一の装置が１つ以上の第二の装置からの第二のメッセージを受信した後に、前記第二のメッセージにおける第二の位置関係情報に基づいて、そのデジタルメディアコンテンツ再生を転送するための１つの第二の装置を確定し、そして第三のメッセージを確定された第二の装置に送信するように、第二の装置がデジタルメディアコンテンツ再生を転送インするためのユーザの身体動作を検出した後に、第二の装置とユーザの間の第二の位置関係情報を取得し、そして前記第二の位置関係情報を前記第二のメッセージにパッケージングし、第一の装置に送信する。そのなか、前記第二の装置は、そのカメラ部材で身体動作を検出し、前記身体動作が投げ／指向／指の開放動作が含まれる手振り動作である。
【０１３１】
ステップ８０２において、第一の装置からの、前記第二のメッセージに応答するための第三のメッセージを受信し、そして前記第三のメッセージに基づいて、第一の装置のデジタルメディアコンテンツ再生を本装置に転送して再生する。
【０１３２】
前記ステップ８０２は、具体的に、第二の装置が前記第三のメッセージを受信した後、前記第三のメッセージがデジタルメディアコンテンツ再生を転送するためのメッセージである場合、デジタルメディアコンテンツ再生を本装置に転送して再生することである。
【０１３３】
図９は本発明の第三の実施形態によるデジタルメディアコンテンツ再生を転送する応用シーンを示す図である。各装置およびその相互関係は、図９に示される、２つの装置は、すべてテレビＴＶであり、すなわちＴＶ１とＴＶ２である。
【０１３４】
ＴＶ２が第二の装置として１つのカメラ部材（例えばカメラ）を備え、ユーザは、カメラの前に手で投げ、解放、または指向動作などをすることができる。本実施形態において、ＴＶ２で識別可能な動作は、それぞれ次の通りである。
１）投げ：ユーザは、ＴＶ２のカメラに向かって手で投げ動作をする；
２）解放：ユーザは、まずグループ１の掴みまたは挟み手振りを維持し、次にＴＶ２のカメラに向かって手で解放動作をする；
３）指向：ユーザは、ＴＶ２のカメラに向かって手で指向動作をする；
４）開放：ＴＶ２がタッチスクリーンを備えると、まず５本の指を絞り、次に指でタッチスクリーンに開放動作をする。
【０１３５】
まず、ＴＶ２は、デジタルメディアコンテンツが本装置に転送されて再生される身体動作を受信または識別した後に、ＴＶ１へ第二のメッセージを送信し、デジタルメディアコンテンツ再生の受信を準備したことをＴＶ１に通知し、前記第二のメッセージにそれとユーザの第二の位置関係情報（例えば手振り位置情報）が含まれる。次に、ＴＶ１は、ＴＶ２へデジタルメディアコンテンツ再生の転送を確認し、再生の転送を完了する。
【０１３６】
ここで、前記手振り位置情報は、手振りと装置の角度パラメータであってよく、手振りと装置の距離パラメータであってもよい。このようにして、複数の第一の装置または第二の装置がある場合、本装置は、相手側の手振り位置情報に基づいて、最適な相手側装置を判定し、そしてメッセージに応答する。
【０１３７】
図１０は本発明の第三の実施形態による操作方法のネットワークメッセージフロー図である。図１０に示すように、第一の装置は、ＴＶ１であり、第二の装置が２つであって、それぞれＴＶ２と音響システムである。この実施形態において、デジタルメディアコンテンツがＴＶ１で再生され、ユーザは、デジタルメディアコンテンツ再生をＴＶ１からＴＶ２に転送するように操作し、ユーザにとって、そのシーンと体験は、手でＴＶ２のカメラの方向に向かって投げ動作をし、その結果、元のＴＶ１で再生されるデジタルメディアコンテンツが現在ＴＶ２で再生され、ユーザがＴＶ２で再生されるビデオコンテンツを直接見ることができることである。フローは以下のステップを含む。
【０１３８】
ステップ１００１において、第二の装置ＴＶ２、音響システムは、第二の動作を識別し、デジタルメディアコンテンツ再生が本装置に転送されて再生されることを識別する。
【０１３９】
ステップ１００２において、第二の装置ＴＶ２、音響システムがデジタルメディアコンテンツ再生を転送インするための身体動作コマンドを識別した後、ＴＶ２、音響システムは、第二のメッセージＰＡＩＲＥＤ  ＯＫを送信し、第一の装置へデジタルメディアコンテンツ再生の受信を準備したことを確認する。
【０１４０】
前記ステップ１００２において、前記第二のメッセージは、装置がデジタルメディアコンテンツを受信できることを表すＯＡＩＲＥＤと  ＯＫ、装置が動作を識別したが、転送されたデジタルメディアコンテンツを受信できないことを表すＰＡＩＲ  ＦＡＩＬＥＤとの２種類がある。本実施形態において、ＴＶ２、音響システムは、ＴＶ１へＰＡＩＲＥＤ  ＯＫを送信し、前記第二のメッセージに第二の装置により識別された手振り位置情報が含まれる。
【０１４１】
ステップ１００３において、ＴＶ１は、ＰＡＩＲＥＤ  ＯＫメッセージに対して応答：ＰＡＩＲＥＤ  ＣＯＮＦＩＲＭまたはＰＡＩＲ  ＲＥＦＵＳＥＤを与える。
【０１４２】
ＴＶ１は、ＴＶ２または音響システムへ第三のメッセージＰＡＩＲＥＤ  ＣＯＮＦＩＲＭまたはＰＡＩＲＲＥＦＵＳＥＤを送信する。本実施形態において、ＴＶ１は、ＴＶ２へＰＡＩＲＥＤ  ＣＯＮＦＩＲＭを送信し、音響システムへＰＡＩＲ  ＲＥＦＵＳＥＤを送信し、すなわちＴＶ１は、デジタルメディアコンテンツ再生をＴＶ２に転送するように選択する。
【０１４３】
ＴＶ１が複数の第二の装置例えば図面におけるＴＶ２、音響システムからのＰＡＩＲＥＤ  ＯＫを受信する場合、その中の第二の装置により識別された手振り位置情報に基づいて最適な第二の装置を判定することができる。当然、ＴＶ１は、操作インターフェースを提供することもでき、ユーザよりターゲット装置を選択し、例えばスクリーンにオプションを表示し、ユーザより装置を選択し、その後以降のプロセスを続ける。
【０１４４】
ステップ１００４において、ＴＶ１における現在のデジタルメディアコンテンツ再生をＴＶ２に転送して再生する。
【０１４５】
ＴＶ１とＴＶ２の間にネットワークメッセージで確認した後、完了するまたは中止されるまでＴＶ１とＴＶ２の間にデジタルメディアコンテンツ再生の転送を開始する。
【０１４６】
第四の実施形態として、さらに同時に第一の装置、第二の装置に対して手振り動作をすることができ、２種類の装置（装置が１つだけではないかもしれない）が同時に手振りを識別し始め、そして再生転送交渉をトリガし、この場合のネットワークメッセージフローは、前記第一の実施形態と類似するので、ここでは説明は、省略する。
【０１４７】
データ伝送の観点から、データメディアコンテンツ再生転送は、次のように例示される。
【０１４８】
（１）ＴＶ１がファイル／データを１回ＴＶ２に送信すること、または、
（２）ＴＶ１がファイル／データをフローでＴＶ２に送信すること、または、
（３）ＴＶ１が他の装置のコンテンツソースアドレスをＴＶ２に知らせ、ＴＶ２がコンテンツソースアドレスからダウンロードすること、または、
（４）ＴＶ１が他の装置のコンテンツソースアドレスをＴＶ２に知らせ、ＴＶ２がコンテンツソースからのメディアストリームを受信することなど。
【０１４９】
上記の実施形態において、ＴＶ１が第一の装置とするが、本発明では、第一の装置がＴＶ１のような装置に限られなく、携帯電話、タッチスクリーン（リモコン）を有する他のプレーヤー、さらにはコンピュータなどは、第一の装置とすることができ、前記プロセスにおけるトリガ機能は、コンピュータにおいてキーボード、マウスで実現されることもできる。
【０１５０】
上記の実施形態において、ＴＶ２、音響システムが第二の装置とするが、本発明は、第二の装置がテレビのような装置に限られなく、カメラを配置し、且つ実施形態に記載される様々な能力を備える限り、携帯電話、セットトップボックス、プロジェクタ、コンピュータなどは、第二の装置とすることができる。
【０１５１】
上記の実施形態により、ホームにおける異なる装置間のコンテンツの転送共有、例えば、携帯電話がＴＶへ画像を伝送し、同時に音響へサウンドを伝送し、複数のＴＶがある展示ホールなどの場所で、１つの物理位置において異なるＴＶへ複数のコンテンツの再生を転送することなどを実現することができる。
【０１５２】
上記のプロセスは、実施形態だけで実現されることに限定されるものではなく、また具体的なプロセスの実行を限定する方法ではなく、本発明は、さらに類似する方式、例えばモジュール名、様々なメッセージのタイプを表すなどにより実現され、それが命名形態に過ぎず、具体的なメッセージコンテンツなどが異なる。
【０１５３】
上記の実施形態において、ネットワークに関して、ＩＥＥＥ  ８０２.３、ＩＥＥＥ  ８０２．１１ｂ／ｇ／ｎ、ＰＯＷＥＬＩＮＥ、ＣＡＢＬＥ、ＰＳＴＮ、３ＧＰＰ（３ｒｄ  Ｇｅｎｅｒａｔｉｏｎ  Ｐａｒｔｎｅｒｓｈｉｐ  Ｐｒｏｊｅｃｅ：第三世代パートナーシッププロジェクト）ネットワーク、３ＧＰＰ２ネットワークなどの通信ネットワークによってサポートされるＩＰネットワークに適用でき、各装置の操作システムに対してＵＮＩＸ系操作システム、ＷＩＮＤＯＷＳ系操作システム、ＡＮＤＲＯＩＤ系操作システム、ＩＯＳ操作システムに適用でき、コンシューマインタフェースに対してＪＡＶＡ言語インタフェースなどに適用できる。
【０１５４】
明確にするために、ここで装置のすべての一般的な特徴を示して説明しない。当然、いかなる実際の装置の開発において、特定の実現モードの決定をしなければならなく、開発者の特定目標を達成するようにし、例えばアプリケーションおよびサービスに関する制約に合わせ、これらの特定の目標が異なる実現モードに伴って変化し、且つ異なる開発者に伴って変化すると理解すべきである。しかも、このような開発仕事は、複雑かつ時間がかかり、それにも拘らず、本発明に開示されるコンテンツのインスピレーションを受けた当業者にとって、行われる技術的な仕事は、一般的であると理解すべきである。
【０１５５】
ここで記載される主題によれば、様々タイプの操作システム、計算プラットホーム、コンピュータプログラム、および／または汎用機械で様々な部材、システム、装置、処理ステップおよび/またはデータ構造を製造、操作および／実行することができる。その他、当業者は、ここに開示された発明概念の範囲と趣旨から逸脱することなく、あまり一般的な装置を利用することもできる。そのうち、それに含まれる方法は、コンピュータ、デバイスまたは機械によって実行され、且つ当該方法は、機械読み取り可能なコマンドとして記憶されることができ、それらは、ＲＯＭ（読み取り専用メモリ、ＦＬＡＳＨメモリ、転送装置など）、磁気記憶媒体（例えば、磁気テープ、ディスクドライブなど）、光記憶媒体（例えば、ＣＤ−ＲＯＭ、ＤＶＤ−ＲＯＭ、紙カード、紙テープなど）および他のよく知られているタイププログラムメモリを含むがこれらに限られないコンピュータ記憶装置のような確定された媒体に記憶されることができる。その他、当該方法は、人為的または創造的な判断することなく、ソフトウェアツールの選択によりオペレータより実行されることができると理解すべきである。
【０１５６】
以上は、本発明を詳しく説明したが、本発明は、これに限定されなく、当業者にとって、本発明の原理に基づいて各種類の変更を行うことができる。したがって、本発明の原理に従って行われる変更は、すべて本発明の保護範囲以内に含まれると理解すべきである。
【図１】
0006374052.tif 000002
【図２】
0006374052.tif 000003
【図３】
0006374052.tif 000004
【図４】
0006374052.tif 000005
【図５】
0006374052.tif 000006
【図６】
0006374052.tif 000007
【図７】
0006374052.tif 000008
【図８】
0006374052.tif 000009
【図９】
0006374052.tif 000010
【図１０】
0006374052.tif 000011